(57)【要約】【課題】  ２１０ｍｍ×１００ｍｍサイズの印刷物を印刷する際に、使用する紙の量を少なくする省資源型の印刷システムを提供する。【解決手段】  紙巾４３５〜５００ｍｍの巻き取り、特に紙巾４４０ｍｍの巻き取りを使用し、Ａ縦型全版オフセット輪転印刷機で、天地２１０ｍｍ、左右１００ｍｍサイズの印刷物を印刷する省資源型の印刷システムである。また、紙巾４３５〜５００ｍｍの巻き取り、特に紙巾４４０ｍｍの巻き取りを使用し、Ａ縦型全版オフセット輪転印刷機、グルー機、インライン裁断機及びスタッカーバンドラーから構成される印刷装置において、天地２１０ｍｍ、左右１００ｍｍサイズの印刷物を印刷、処理する省資源型の印刷システムである。【選択図】図１
2006198815.tif 000002
【特許請求の範囲】
【請求項１】
紙巾４３５〜５００ｍｍの巻き取りを使用し、Ａ縦型全版オフセット輪転印刷機で、天地２１０ｍｍ、左右１００ｍｍサイズの印刷物を印刷することを特徴とする省資源型の印刷システム。
【請求項２】
紙巾４３５〜５００ｍｍの巻き取りを使用し、Ａ縦型全版オフセット輪転印刷機、グルー機、インライン裁断機及びスタッカーバンドラーから構成される印刷装置において、天地２１０ｍｍ、左右１００ｍｍサイズの印刷物を印刷、処理することを特徴とする省資源型の印刷システム。
【請求項３】
紙巾４４０ｍｍの巻き取りを使用することを特徴とする請求項１又は請求項２に記載の省資源型の印刷システム。
【発明の詳細な説明】
【技術分野】
【０００１】
本発明は、特に、天地２１０ｍｍ、左右１００ｍｍサイズの印刷物を印刷する際に、紙を節約する省資源印刷システムに関する。
【背景技術】
【０００２】
印刷に際して、印刷機に掛ける紙は、実際に印刷物となる版面より大きいものが使用される。即ち、版面の周囲はマージンと称され、最終的には、マージン部分はトリミング加工において切り取られ廃棄される。このマージン部分は、印刷において必然的に発生するものである。
【０００３】
上記の天地２１０ｍｍ、左右１００ｍｍサイズ（以下、２１０×１００サイズと記載する）の印刷物を印刷するには、通常、Ｂ縦型オフセット輪転印刷機を使用し、Ａ版の紙が使用される。即ち、紙巾８８０ｍｍの巻き取りを使用し、糊綴じの際には、一開き当たり天地２２０ｍｍ×左右１３７ｍｍのサイズとして排出され、最終的にはこれをトリミングして２１０×１００とするものである。この際、９１４０ｍｍ２の面積の紙が無駄になる。即ち、この部分は廃棄することになる。これは天地２２０ｍｍ×左右１３７ｍｍの元のサイズに対して、３０％に達する。
【０００４】
印刷物及び印刷に使用する紙や巻き取りの寸法は規定のものを使用するため、必然的にマージンが発生し、この部分は最終的には廃棄されることになる。この紙のマージン部分を少なくしようとする試みはほとんど行われていない。これは、サイズが規定されている以上、必然的に発生するものとして、やむを得ないものとみなされてきたからである。印刷における、使用する紙の節約、即ち、省資源を計る試みはいくつかなされているが、マージンを少なくしようとする技術は無いのが現状である。
【０００５】
特開２００４−１１４６７８号公報（特許文献１）には、印刷 製品の版型を上手く変えることができ、被印刷 材料を経済的に無駄無く使い切ることができるロール紙輪転印刷機が記載され、特開２０００−３１３１５８号公報（特許文献２）には、ユーザが誤って、又は、ユーザが必要なため原稿より大きい印刷用紙を給紙台にセットした場合にも長尺状孔版原紙を節約する手段が記載され、特開２０００−１２７５９４号公報（特許文献３）には、原稿や印刷用紙のセット方向やサイズの違いにオペレータが注意を払わなくても常に良好な印刷や印刷用紙の整列積載を行える印刷装置が記載されている。しかしながら、これらの先行文献は、上述のマージンを少なくする技術でなない。
【０００６】
【特許文献１】特開２００４−１１４６７８号公報
【特許文献２】特開２０００−３１３１５８号公報
【特許文献３】特開２０００−１２７５９４号公報
【発明の開示】
【発明が解決しようとする課題】
【０００７】
本発明は、２１０×１００サイズの印刷物を印刷する際に、従来方法では、Ｂ縦型オフセット輪転印刷機を使用して、マージンとして３０％の紙を無駄にしているものを少なくして、印刷における省資源を計る印刷システムを提供しようとするものである。尚、２１０×１００サイズの印刷物は、長形３号定型封筒（２３５ｍｍ×１２０ｍｍ）に入る印刷物として、郵送用に適したサイズである。このサイズは、例えば、ダイレクトメール用によく使用されるものである。  
【課題を解決するための手段】
【０００８】
本発明は、紙巾４３５〜５００ｍｍの巻き取りを使用し、Ａ縦型全版オフセット輪転印刷機で、天地２１０ｍｍ、左右１００ｍｍサイズの印刷物を印刷する省資源型の印刷システムである。また、紙巾４３５〜５００ｍｍの巻き取りを使用し、Ａ縦型全版オフセット輪転印刷機、グルー機、インライン裁断機及びスタッカーバンドラーから構成される印刷装置において、天地２１０ｍｍ、左右１００ｍｍサイズの印刷物を印刷、処理する省資源型の印刷システムである。特に、紙巾４４０ｍｍの巻き取りを使用するのが、コスト、省資源の点から好ましい。
【発明の効果】
【０００９】
天地２１０ｍｍ×左右１００ｍｍサイズの印刷物を印刷する際に、従来、Ｂ縦型オフセット輪転印刷機を使用して、マージンとして３０％の紙を無駄にしていたが、本発明において、Ａ縦型オフセット輪転印刷機で、紙巾４３５〜５００ｍｍの巻き取り、特に紙巾４４０ｍｍの巻き取りを使用することにより、マージンとして無駄にする紙の量は１３％にまでに減少させることができる。また、紙巾４３５〜５００ｍｍの巻き取り、特に紙巾４４０ｍｍの巻き取りを使用することにより、Ａ縦型全版オフセット輪転印刷機、グルー機、インライン裁断機及びスタッカーバンドラーから構成される印刷装置において、天地２１０ｍｍ、左右１００ｍｍサイズの印刷物を効果的に印刷、処理することができる。
【発明を実施するための最良の形態】
【００１０】
以下、本発明を実施形態に基づいて説明する。先に述べたように、印刷に際して、印刷機に掛ける紙は、実際に印刷物となる版面より大きいものが使用される。即ち、版面の周囲はマージンと称され、最終的には、マージン部分はトリミング加工において切り取られ廃棄される。このマージン部分は、印刷において必然的に発生するものであり、必然的に無駄が生じているのである。
【００１１】
先にも述べたように、２１０×１００サイズの印刷物を印刷するには、通常、紙巾８８０ｍｍの巻き取りを使用し、糊綴じの際には、天地２２０ｍｍ×左右１３７ｍｍのサイズとして排出され、最終的にはこれをトリミングして２１０×１００としている。この際、印刷物１枚当たり、９１４０ｍｍ２「（２２０×１３７）−（２１０×１００）＝９１４０」の面積の紙が無駄になる。即ち、この部分は廃棄することになる。これは天地２２０ｍｍ×左右１３７ｍｍの元のサイズの紙（２２０×１３７＝３０１４０）に対して、３０％に達する。この状況を図１に示した。即ち、従来法においては、２２０ｍｍ×１３７ｍｍの寸法の原紙から２１０ｍｍ×１００ｍｍの印刷物を得るが、その際周辺の９１４０ｍｍ２の面積の紙が廃棄される。これに対して、本発明においては、２２０ｍｍ×１１０ｍｍの寸法の原紙から２１０ｍｍ×１００ｍｍの印刷物を得るもので、廃棄される紙はその周辺の３２００ｍｍ２（（２２０×１１０）−（２１０×１００））の面積の紙が廃棄されるにすぎない。
【００１２】
以下、本発明の説明は、主として紙巾４４０ｍｍの巻き取りを使用する場合を中心に行うが、本発明はこれに限定されるものではない。本発明においては、Ａ縦全版オフセット輪転印刷機を使用して、紙巾４４０ｍｍの巻き取りを使用し、糊綴じの際は天地２２０ｍｍ×１１０ｍｍのサイズで排出し、最終的にはトリミングして２１０×１００のサイズとするものである。このシステムでは、印刷物１枚に付き３２００ｍｍ２「（２２０×１１０）−（２１０×１００）＝３２００」の紙が無駄となるに過ぎない。これは、元のサイズ（２２０×１１０＝２４２００）の紙に対して、１３．２％に過ぎない。また、従来法に比較すると、印刷物１枚当たり５９４０ｍｍ２の面積の紙が節約できることになる。
【００１３】
例えば、３２頁の２１０×１００サイズの印刷物を印刷する場合、通常印刷においては、横方向８８０ｍｍ、縦方向５４６ｍｍ寸法の紙を使用して印刷するに対して、本願発明においては、横方向４４０ｍｍ、縦方向８８０ｍｍ寸法の紙を使用して印刷することになる。この場合、９３２８０ｍｍ２「（５４６−４４０）×８８０＝９３２８０」の紙が節約されることになる。
【００１４】
更に、本願発明は、図２に示したように、Ａ縦型全版オフセット輪転印刷機、グルー機、インライン裁断機及びスタッカーバンドラーから構成される印刷装置を適用することにより、天地２１０ｍｍ、左右１００ｍｍサイズの印刷物を効率よく印刷、処理することができる。例えば、１６枚、裏表３２頁を一つの単位として印刷する場合、Ａ縦型全版オフセット輪転印刷機で印刷される。この際、印刷された印刷物は、カットオフ長、即ち、長さ８８０ｍｍ毎に切断される。切断された印刷物は、その背になる部分に糊付けされ、折られて天地２２０ｍｍ、左右１１０ｍｍの寸法になる。このものをインライン裁断機で裁断して、天地２１０ｍｍ、左右１００ｍｍの寸法の印刷物に仕上げる。印刷物複数冊をスタッカーバンドラーで束ねる。束ねた印刷物は、必要に応じてパレタイジングロボットを使用して、出荷の段取りとなる。このようにした、原料の紙から、製品である印刷物までを、一貫して効率よく行うことができる。尚、紙の寸法はＡ版、Ｂ版で自ずと決まるものであるので、標準値を中心に説明してきた。実際の寸法は、この標準値に対して若干の相違を生じる。従って、本発明においては、寸法を標準値で表しているが、この標準値からずれた寸法のものも当然本発明の範囲内であることを付言しておく。
【産業上の利用可能性】
【００１５】
本発明は、天地２１０ｍｍ×左右１００ｍｍサイズの印刷物を印刷する際に、Ａ縦型オフセット輪転印刷機で、紙巾４４０ｍｍの巻き取りを使用する省資源型の印刷システムである。また、紙巾４４０ｍｍの巻き取りを使用し、Ａ縦型全版オフセット輪転印刷機、グルー機、インライン裁断機及びスタッカーバンドラーから構成される印刷装置において、天地２１０ｍｍ、左右１００ｍｍサイズの印刷物を印刷、処理する省資源型の印刷システムである。この省資源型の印刷システムにより、従来３０％の紙を廃棄していたものを、わずか１３％までに、廃棄する紙の量を少なくすることができる。この発明は、印刷業界はもとより製紙業界に省資源を実現しもって産業界の発展に寄与するものである。
【図面の簡単な説明】
【００１６】
【図１】省資源型印刷システムを説明する図である
【図２】印刷装置の構成を示すブロック図である
【図１】
2006198815.tif 000003
【図２】
2006198815.tif 000004